(57)【要約】【課題】被験者Ｗの被曝量を抑えつつ、観察対象とする病変部を様々な方向から立体視で観察することができる画像処理装置、画像処理システム及びプログラムを提供する。【解決手段】２つの放射線画像９０Ｌ、９０Ｒの各々から石灰化領域９４を特定し、特定された石灰化領域９４の対応関係を求め、対応する石灰化領域９４の放射線画像９０Ｌ、９０Ｒ内での位置関係及び放射線画像９０Ｌ、９０Ｒの撮影の際の放射線源３０Ｌ、３０Ｒの位置関係に基づいて石灰化領域９４の３次元空間での位置を示す３次元情報を生成し、３次元情報に基づいて操作入力部５４で受付けた観察方向から石灰化領域９４を観察する場合の所定の視差角の右目用の画像と左目用の画像を作成し、作成された右目用の画像と左目用の画像をステレオ表示装置８０にそれぞれ表示するように制御する。【選択図】図９
2010187916.tif 000002
【特許請求の範囲】
【請求項１】
被験者の撮影対象部位に対して放射線源から放射線が異なる位置から個別に照射されて撮影された複数の放射線画像を示す画像情報をそれぞれ取得する取得手段と、
前記取得手段により取得された各画像情報により示される複数の放射線画像の各々から観察対象とする病変部を特定する特定手段と、
前記特定手段により特定された病変部の対応関係を求め、複数の放射線画像内での対応する病変部の位置関係及び当該複数の放射線画像の撮影の際の前記放射線源の位置関係に基づいて病変部の３次元空間での位置を示す３次元情報を生成する生成手段と、
３次元空間内で病変部を観察する観察方向の指定を受け付ける受付手段と、
前記３次元情報に基づいて前記受付手段で受付けた観察方向から病変部を観察する場合の所定の視差角の右目用の画像と左目用の画像を作成する作成手段と、
画像表示手段に前記作成手段により作成された右目用の画像と左目用の画像をそれぞれ表示するように制御する制御手段と、
を備えた画像処理装置。
【請求項２】
前記取得手段は、２つの放射線画像を示す画像情報をそれぞれ取得し
前記生成手段は、２つの放射線画像内での対応する病変部の位置関係及び２つの射線画像の撮影の際の前記放射線源の位置関係に基づいて病変部の３次元空間での位置を示す３次元情報を生成する
請求項１記載の画像処理装置。
【請求項３】
前記受付手段は、画像の拡大して表示する拡大指定をさらに受け付け、
前記作成手段は、指定された拡大率から算出した視差角が一定値以上の場合、算出した視差角よりも視差角を小さくして右目用の投影画像と左目用の投影画像を作成する
請求項１又は請求項２記載の画像処理装置。
【請求項４】
前記観察対象とする病変部を、微小石灰化クラスタとし、
前記特定手段は、ＣＡＤ（computer aided detection）によって病変部を特定する
請求項１〜請求項３の何れか１項記載の画像処理装置。
【請求項５】
前記作成手段は、複数の放射線画像の病変部を含む所定領域の部分画像から当該病変部を前記観察方向から観察した右目用の部分画像と左目用の部分画像をさらに作成し、
前記制御手段は、右目用の画像と左目用の画像の病変部の位置に前記作成手段により作成された右目用の部分画像と左目用の部分画像をそれぞれ表示するように制御する
請求項１〜請求項４の何れか１項記載の画像処理装置。
【請求項６】
前記作成手段は、前記３次元情報に基づいて前記受付手段で受付けた観察方向又は所定方向から所定角度ずつ角度を変えて病変部を観察する場合の右目用の画像と左目用の画像をそれぞれ作成し、
前記制御手段は、前記画像表示手段に前記作成手段により所定角度ずつ角度を変えて作成された右目用の画像と左目用の画像をそれぞれ連続的に表示するように制御する
請求項１〜請求項５の何れか１項記載の画像処理装置。
【請求項７】
前記画像表示手段は、右目用と左目用の画像をそれぞれ表示可能な２つの表示部を有し、
前記制御手段は、前記表示手段の２つの表示部に前記作成手段により作成された右目用の画像と左目用の画像をそれぞれ表示するように制御する
請求項１〜請求項６の何れか１項記載の画像処理装置。
【請求項８】
被験者の撮影対象部位に対して放射線源から放射線が異なる位置から個別に照射されて撮影された複数の放射線画像の各々から観察対象とする病変部が特定されて当該病変部の対応関係が求められ、複数の放射線画像内での対応する病変部の位置関係及び当該複数の放射線画像の撮影の際の前記放射線源の位置関係に基づいて生成された病変部の３次元空間での位置を示す３次元情報を記憶する記憶手段と、
３次元空間内で病変部を観察する観察方向の指定を受け付ける受付手段と、
前記記憶手段に記憶された前記３次元情報に基づいて前記受付手段で受付けた観察方向から病変部を観察する場合の所定の視差角の右目用の画像と左目用の画像を作成する作成手段と、
画像表示手段に前記作成手段により作成された右目用の画像と左目用の画像をそれぞれ表示するように制御する制御手段と、
を備えた画像処理装置。
【請求項９】
被験者の撮影対象部位に対して放射線源から放射線が異なる位置から個別に照射されて撮影された複数の放射線画像の各々から観察対象とする病変部が特定されて当該病変部の対応関係が求められ、複数の放射線画像内での対応する病変部の位置関係及び当該複数の放射線画像の撮影の際の前記放射線源の位置関係に基づいて生成された病変部の３次元空間での位置を示す３次元情報を記憶する記憶手段を有する記憶装置と、
前記記憶装置と通信を行なう通信手段、３次元空間内で病変部を観察する観察方向の指定を受け付ける受付手段、前記通信手段を介して前記記憶装置の前記記憶手段に記憶された前記３次元情報にアクセスし、当該３次元情報に基づいて前記受付手段で受付けた観察方向から病変部を観察する場合の所定の視差角の右目用の画像と左目用の画像を作成する作成手段、及び画像表示手段に前記作成手段により作成された右目用の画像と左目用の画像をそれぞれ表示するように制御する制御手段を有する画像処理装置と、
を備えた画像処理システム。
【請求項１０】
被験者の撮影対象部位に対して放射線源から放射線が異なる位置から個別に照射されて撮影された複数の放射線画像を示す画像情報をそれぞれ取得する取得手段、前記取得手段により取得された各画像情報により示される複数の放射線画像の各々から観察対象とする病変部を特定する特定手段、及び前記特定手段により特定された病変部の対応関係を求め、複数の放射線画像内での対応する病変部の位置関係及び当該複数の放射線画像の撮影の際の前記放射線源の位置関係に基づいて病変部の３次元空間での位置を示す３次元情報を生成する生成手段を有する第１の画像処理装置と、
前記生成手段により生成された前記３次元情報を記憶する記憶手段と、
３次元空間内で病変部を観察する観察方向の指定を受け付ける受付手段、前記記憶手段に記憶された前記３次元情報にアクセスし、当該３次元情報に基づいて前記受付手段で受付けた観察方向から病変部を観察する場合の所定の視差角の右目用の画像と左目用の画像を作成する作成手段、及び画像表示手段に前記作成手段により作成された右目用の画像と左目用の画像をそれぞれ表示するように制御する制御手段を有する第２の画像処理装置と、
を備えた画像処理システム。
【請求項１１】
コンピュータを、請求項１〜請求項７のいずれか１項記載の画像処理装置における特定手段、生成手段、作成手段、及び制御手段として機能させるためのプログラム。
【発明の詳細な説明】
【技術分野】
【０００１】
本発明は、画像処理装置、画像処理システム及びプログラムに係り、特に撮影した放射線画像を再構成してステレオ画像を作成する画像処理装置、画像処理システム及びプログラムに関する。
【背景技術】
【０００２】
従来、医療診断を目的とした放射線撮影を行なう放射線撮影装置が知られている。この種の放射線撮影装置として、例えば、乳がんの早期発見などを目的として被験者の乳房を撮像するマンモグラフィが挙げられる。
【０００３】
ところで、放射線撮影装置による撮影によって得られる放射線画像は、２次元画像であるため、病変等の立体的分布が判断しずらい。
【０００４】
そこで、診断精度を向上させる技術としてステレオ撮影方法が提案されている。
【０００５】
例えば、特許文献１には、被験者に異なる２方向からＸ線を曝射してステレオ画像を取得し、取得したステレオ画像から奥行き方向の情報を求めることで３次元情報を求め、３次元情報に直交３軸に関する座標回転処理を施して表示部に疑似３次元表示を行なう技術が記載されている。
【０００６】
また、特許文献２には、２つ以上の撮像手段により被写体を異なる位置から撮像し、撮像された画像中の被写体の３次元情報を検出し、検出した３次元情報に基づいて任意視点からみた平面の仮想撮像画像を生成する技術が記載されている。
【０００７】
また、特許文献３には、１回の撮影で検査部位に異なる角度でＸ線を連続パルス照射し、多方向から撮影した多数枚の画像から３次元情報を再構成する技術が記載されている。
【０００８】
さらに、特許文献４には、被写体を正面方向から撮影すると共に、正面方向に対し左右の所定の角度方向からそれぞれ撮影し、正面方向から撮影した放射線画像と左右の所定の角度方向から撮影した放射線画像とを表示装置に切り替え表示を行なう技術が記載されている。この表示装置は、奇数ラインと偶数ラインで表示光の偏光方向が直交しており、右のレンズと左のレンズで偏光方向を直交させた偏光メガネをかけて見ることにより、右目と左目で奇数ラインと偶数ラインを別々に見ることができる。正面方向から撮影した放射線画像を表示する場合は、奇数ラインと偶数ラインで同じ画像を表示し、左右に所定の角度方向から撮影した放射線画像を表示する場合は、奇数ラインと偶数ラインで左右別々の画像を表示する。
【先行技術文献】
【特許文献】
【０００９】
【特許文献１】特開昭６４-２６２８号公報
【特許文献２】特開平９−１１４９７９号公報
【特許文献３】米国特許第７１４２６３３号明細書
【特許文献４】特開２００３−２４５２７４号公報
【発明の概要】
【発明が解決しようとする課題】
【００１０】
ところで、３次元情報を求めるには、放射線画像を複数枚（例えば、２枚）撮影し、撮影された画像間での対応点を求める必要がある。
【００１１】
しかしながら、特許文献１及び特許文献２に記載の技術では、撮影された各画像内に様々な像が含まれるため、画像間で対応点が見つからない場合や誤った対応点を見つけてしまう場合があり、３次元情報を適切に生成することができない。
【００１２】
そこで、特許文献３のように、多方向から放射線画像を多数枚（１０〜２０枚程度）撮影し、撮影した多数枚の画像間で対応点を求めた場合、３次元空間の全てのボクセルの情報を得ることができるため３次元情報を適切に生成することができるが、放射線画像の撮影枚数が多くなり、被験者の被曝量も増加する。
【００１３】
また、特許文献４に記載の技術では、左右の所定の角度方向から撮影した放射線画像を表示装置の奇数ラインと偶数ラインで別々に表示することにより、病変部の分布を立体的に見ることができるが、撮影方向からしか病変部を見ることができない。
【００１４】
本発明は上記事実に鑑みてなされたものであり、被験者の被曝量を抑えつつ、観察対象とする病変部を様々な方向から立体視で観察することができる画像処理装置、画像処理システム及びプログラムを提供することを目的とする。
【課題を解決するための手段】
【００１５】
上記目的を達成するために、請求項１に記載の発明の画像処理装置は、被験者の撮影対象部位に対して放射線源から放射線が異なる位置から個別に照射されて撮影された複数の放射線画像を示す画像情報をそれぞれ取得する取得手段と、前記取得手段により取得された各画像情報により示される複数の放射線画像の各々から観察対象とする病変部を特定する特定手段と、前記特定手段により特定された病変部の対応関係を求め、複数の放射線画像内での対応する病変部の位置関係及び当該複数の放射線画像の撮影の際の前記放射線源の位置関係に基づいて病変部の３次元空間での位置を示す３次元情報を生成する生成手段と、３次元空間内で病変部を観察する観察方向の指定を受け付ける受付手段と、前記３次元情報に基づいて前記受付手段で受付けた観察方向から病変部を観察する場合の所定の視差角の右目用の画像と左目用の画像を作成する作成手段と、画像表示手段に前記作成手段により作成された右目用の画像と左目用の画像をそれぞれ表示するように制御する制御手段と、を備えている。
【００１６】
請求項１に記載の発明によれば、取得手段は、被験者の撮影対象部位に対して放射線源から放射線が異なる位置から個別に照射されて撮影された複数の放射線画像を示す画像情報をそれぞれ取得し、特定手段は、取得手段により取得された各画像情報により示される複数の放射線画像の各々から観察対象とする病変部を特定し、生成手段は、特定手段により特定された病変部の対応関係を求め、複数の放射線画像内での対応する病変部の位置関係及び当該複数の放射線画像の撮影の際の放射線源の位置関係に基づいて病変部の３次元空間での位置を示す３次元情報を生成する。
【００１７】
そして、本発明によれば、受付手段は、３次元空間内で病変部を観察する観察方向の指定を受け付け、作成手段は、３次元情報に基づいて受付手段で受付けた観察方向から病変部を観察する場合の所定の視差角の右目用の画像と左目用の画像を作成し、制御手段は、画像表示手段に作成手段により作成された右目用の画像と左目用の画像をそれぞれ表示するように制御する。
【００１８】
このように、請求項１に記載の発明によれば、複数の放射線画像の各々から観察対象とする病変部を特定し、特定された病変部の対応関係を求め、複数の放射線画像内での対応する病変部の位置関係及び当該複数の放射線画像の撮影の際の放射線源の位置関係に基づいて病変部の３次元空間での位置を示す３次元情報を生成するので、当該複数の放射線画像から患者の観察対象とする病変部に関する対応点を見つけることができるため、被験者に対する被曝量を抑えて病変部に関する３次元情報を生成することができる。
【００１９】
また、請求項１に記載の発明によれば、３次元情報に基づいて受付けた観察方向から病変部を観察する場合の所定の視差角の右目用の画像と左目用の画像を作成し、作成された右目用の画像と左目用の画像を画像表示手段にそれぞれ表示するように制御するので、観察対象とする病変部を様々な方向から立体視で観察することができる。
【００２０】
なお、本発明は、請求項２に記載の発明のように、前記取得手段が、２つの放射線画像を示す画像情報をそれぞれ取得し、前記生成手段が、２つの放射線画像内での対応する病変部の位置関係及び２つの射線画像の撮影の際の前記放射線源の位置関係に基づいて病変部の３次元空間での位置を示す３次元情報を生成してもよい。
【００２１】
また、本発明は、請求項３に記載の発明のように、前記受付手段が、画像の拡大して表示する拡大指定をさらに受け付け、前記作成手段が、指定された拡大率から算出した視差角が一定値以上の場合、算出した視差角よりも視差角を小さくして右目用の投影画像と左目用の投影画像を作成してもよい。
【００２２】
また、本発明は、請求項４に記載の発明のように、前記観察対象とする病変部を、微小石灰化クラスタとし、前記特定手段が、ＣＡＤ（computer aided detection）によって病変部を特定してもよい。
【００２３】
また、本発明は、請求項５に記載の発明のように、前記作成手段が、複数の放射線画像の病変部を含む所定領域の部分画像から当該病変部を前記観察方向から観察した右目用の部分画像と左目用の部分画像をさらに作成し、前記制御手段が、右目用の画像と左目用の画像の病変部の位置に前記作成手段により作成された右目用の部分画像と左目用の部分画像をそれぞれ表示するように制御してもよい。
【００２４】
また、本発明は、請求項６に記載の発明のように、前記作成手段が、前記３次元情報に基づいて前記受付手段で受付けた観察方向又は所定方向から所定角度ずつ角度を変えて病変部を観察する場合の右目用の画像と左目用の画像をそれぞれ作成し、前記制御手段が、前記画像表示手段に前記作成手段により所定角度ずつ角度を変えて作成された右目用の画像と左目用の画像をそれぞれ連続的に表示するように制御してもよい。
【００２５】
さらに、本発明は、請求項７に記載の発明のように、前記画像表示手段が、右目用と左目用の画像をそれぞれ表示可能な２つの表示部を有し、前記制御手段は、前記表示手段の２つの表示部に前記作成手段により作成された右目用の画像と左目用の画像をそれぞれ表示するように制御してもよい。
【００２６】
一方、請求項８に記載の発明の画像処理装置は、被験者の撮影対象部位に対して放射線源から放射線が異なる位置から個別に照射されて撮影された複数の放射線画像の各々から観察対象とする病変部が特定されて当該病変部の対応関係が求められ、複数の放射線画像内での対応する病変部の位置関係及び当該複数の放射線画像の撮影の際の前記放射線源の位置関係に基づいて生成された病変部の３次元空間での位置を示す３次元情報を記憶する記憶手段と、３次元空間内で病変部を観察する観察方向の指定を受け付ける受付手段と、前記記憶手段に記憶された前記３次元情報に基づいて前記受付手段で受付けた観察方向から病変部を観察する場合の所定の視差角の右目用の画像と左目用の画像を作成する作成手段と、画像表示手段に前記作成手段により作成された右目用の画像と左目用の画像をそれぞれ表示するように制御する制御手段と、を備えている。
【００２７】
よって、請求項８に記載の発明は、請求項１記載の発明と同様に作用するので、被験者の被曝量を抑えつつ、観察対象とする病変部を様々な方向から立体視で観察することができる。
【００２８】
一方、請求項９に記載の発明の画像処理システムは、被験者の撮影対象部位に対して放射線源から放射線が異なる位置から個別に照射されて撮影された複数の放射線画像の各々から観察対象とする病変部が特定されて当該病変部の対応関係が求められ、複数の放射線画像内での対応する病変部の位置関係及び当該複数の放射線画像の撮影の際の前記放射線源の位置関係に基づいて生成された病変部の３次元空間での位置を示す３次元情報を記憶する記憶手段を有する記憶装置と、前記記憶装置と通信を行なう通信手段、３次元空間内で病変部を観察する観察方向の指定を受け付ける受付手段、前記通信手段を介して前記記憶装置の前記記憶手段に記憶された前記３次元情報にアクセスし、当該３次元情報に基づいて前記受付手段で受付けた観察方向から病変部を観察する場合の所定の視差角の右目用の画像と左目用の画像を作成する作成手段、及び画像表示手段に前記作成手段により作成された右目用の画像と左目用の画像をそれぞれ表示するように制御する制御手段を有する画像処理装置と、を備えている。
【００２９】
よって、請求項９に記載の発明は、請求項１記載の発明と同様に作用するので、被験者の被曝量を抑えつつ、観察対象とする病変部を様々な方向から立体視で観察することができる。
【００３０】
一方、請求項１０に記載の発明の画像処理システムは、被験者の撮影対象部位に対して放射線源から放射線が異なる位置から個別に照射されて撮影された複数の放射線画像を示す画像情報をそれぞれ取得する取得手段、前記取得手段により取得された各画像情報により示される複数の放射線画像の各々から観察対象とする病変部を特定する特定手段、及び前記特定手段により特定された病変部の対応関係を求め、複数の放射線画像内での対応する病変部の位置関係及び当該複数の放射線画像の撮影の際の前記放射線源の位置関係に基づいて病変部の３次元空間での位置を示す３次元情報を生成する生成手段を有する第１の画像処理装置と、前記生成手段により生成された前記３次元情報を記憶する記憶手段と、３次元空間内で病変部を観察する観察方向の指定を受け付ける受付手段、前記記憶手段に記憶された前記３次元情報にアクセスし、当該３次元情報に基づいて前記受付手段で受付けた観察方向から病変部を観察する場合の所定の視差角の右目用の画像と左目用の画像を作成する作成手段、及び画像表示手段に前記作成手段により作成された右目用の画像と左目用の画像をそれぞれ表示するように制御する制御手段を有する第２の画像処理装置と、を備えている。
【００３１】
よって、請求項１０に記載の発明は、請求項１記載の発明と同様に作用するので、被験者の被曝量を抑えつつ、観察対象とする病変部を様々な方向から立体視で観察することができる。
【００３２】
なお、請求項１０に記載の発明の記憶手段は、第１の画像処理装置又は第２の画像処理装置に設けてよく、また、第１の画像処理装置及び第２の画像処理装置とは別の記憶装置として設けもよい。
【００３３】
一方、請求項１１に記載の発明のプログラムは、コンピュータを、請求項１〜請求項７のいずれか１項記載の画像処理装置における特定手段、生成手段、作成手段、及び制御手段として機能させるものである。
【００３４】
よって、請求項１１に記載の発明は、コンピュータを、請求項１〜請求項７のいずれか１項記載の画像処理装置として作用させるので、被験者の被曝量を抑えつつ、観察対象とする病変部を様々な方向から立体視で観察することができる。
【００３５】
なお、請求項１１に記載の発明のプログラムは、ＣＤ−ＲＯＭやＤＶＤ−ＲＯＭ等の記録媒体に記録されている形態で提供することも可能である。
【発明の効果】
【００３６】
本発明によれば、被験者の被曝量を抑えつつ、観察対象とする病変部を様々な方向から立体視で観察することができる、という効果が得られる。
【図面の簡単な説明】
【００３７】
【図１】実施の形態に係る撮像装置の構成を示す平面図である。
【図２】実施の形態に係る撮像装置のＣＣ撮影時における構成を示す斜視図である。
【図３】実施の形態に係る撮像装置のＭＬＯ撮影時における構成を示す斜視図である。
【図４】実施の形態に係る放射線画像撮影システムの構成を示すブロック図である。
【図５】実施の形態に係るステレオ表示装置の構成を示す斜視図である。
【図６】実施の形態に係るステレオ表示装置の画像を立体視する場合を示す図である。
【図７】実施の形態に係る撮影時の放射線照射部と撮影台の位置関係を示す図である。
【図８】実施の形態に係る３次元画像生成処理プログラムの処理の流れ示すフローチャートである。
【図９】実施の形態に係る乳房内の石灰化部分と放射線画像の石灰化領域の関係を示す図である。
【図１０】実施の形態に係るステレオ画像作成処理プログラムの処理の流れ示すフローチャートである。
【図１１】実施の形態に係る拡大時の視差角の変化を説明するための説明図である。
【図１２】実施の形態に係る石灰化部分の３次元的な位置と右目用の画像と左目用の画像の関係を示す図である。
【発明を実施するための形態】
【００３８】
以下、図面を参照して本発明を放射線画像を撮影し、撮影した放射線画像を再構成してステレオ表示を行なう放射線画像撮影システムに適用した場合について説明する。
【００３９】
最初に、図１〜図３を参照して放射線画像を撮影する放射線撮影装置１０について説明する。
【００４０】
本実施の形態に係る放射線撮影装置１０は、被験者が立った立位状態において、その被験者Ｗの乳房Ｎを放射線（例えば、Ｘ線）により撮影する装置であり、例えば、マンモグラフィと称される。なお、以下では、撮影の際に放射線撮影装置１０に被験者Ｗが対面した場合の被験者Ｗに近い手前側を放射線撮影装置１０の装置前方側とし、放射線撮影装置１０に被験者Ｗが対面した場合の被験者Ｗから離れた奥側を放射線撮影装置１０の装置後方側とし、放射線撮影装置１０に被験者Ｗが対面した場合の被験者Ｗの左右方向を放射線撮影装置１０の装置左右方向として説明する（図１の矢印参照）。
【００４１】
また、放射線撮影装置１０の撮影対象は、乳房Ｎに限られず、例えば、身体の他の部位、物体であっても良い。また、放射線撮影装置１０としては、被験者Ｗがいす等に座った座位状態において、その被験者Ｗの乳房Ｎを撮影する装置であってもよく、少なくとも被験者Ｗの上半身が立位した状態でその被験者Ｗの乳房Ｎが撮影される装置であればよい。
【００４２】
放射線撮影装置１０は、図１に示すように、装置前方側に設けられた側面視略Ｃ字状（コの字状）の測定部１２と、測定部１２を装置後方側から支える基台部１４と、を備えている。
【００４３】
測定部１２は、図１及び図２に示すように、立位状態にある被験者Ｗの乳房Ｎに当接する平面状の撮影面２０が形成された撮影台２２と、乳房Ｎを撮影面２０に押し付ける圧迫板２６と、撮影台２２と圧迫板２６とを保持する保持部２８と、を備えている。
【００４４】
また、測定部１２は、管球などの放射線源３０（図４参照。）が設けられその放射線源３０から撮影面２０に向けて検査用の放射線を照射する放射線照射部２４と、保持部２８とは分離され放射線照射部２４を支持する支持部２９とを備えている。
【００４５】
測定部１２には、基台部１４に回動可能に支えられている回動軸１６が設けられている。回動軸１６は、支持部２９に対して固定されており、回動軸１６と支持部２９は一体に回動するようになっている。
【００４６】
保持部２８に対しては、回動軸１６が連結されて一体に回動する状態と、回動軸１６が分離されて空転する状態とに切り替え可能とされている。具体的には、回動軸１６及び保持部２８にそれぞれギアが設けられ、このギア同士の噛合状態・非噛合状態を切替えるようになっている。
【００４７】
なお、回動軸１６の回動力の伝達・非伝達の切替えは、種々の機械要素を用いることができる。
【００４８】
保持部２８は、撮影面２０と放射線照射部２４とが所定間隔離れるように撮影台２２と放射線照射部２４とを保持するとともに、圧迫板２６と撮影面２０との間隔が可変であるように圧迫板２６をスライド移動可能に保持している。
【００４９】
乳房Ｎが当接する撮影面２０は、放射線透過性や強度の観点から、例えば、カーボンで形成されている。撮影台２２の内部には、乳房Ｎ及び撮影面２０を通過した放射線が照射され、その放射線を検出する放射線検出器４２が配置されている。放射線検出器４２が検出した放射線が可視化されて放射線画像が生成される。
【００５０】
本実施形態に係る放射線撮影装置１０は、少なくとも、乳房ＮをＣＣ撮影（頭尾方向の撮影）とＭＬＯ撮影（内外斜位方向の撮影）との両者を行うことができる装置とされている。図１及び図２は、ＣＣ撮影時における放射線撮影装置１０の姿勢を示し、図３は、撮影装置のＭＬＯ撮影時における放射線撮影装置１０の姿勢を示している。
【００５１】
図１に示すように、ＣＣ撮影時においては、撮影面２０が上方を向いた状態に保持部２８の姿勢が調整されると共に、放射線照射部２４が撮影面２０に対して上方に位置する状態に支持部２９の姿勢が調整される。これにより、立位状態の被験者Ｗの頭側から足側に向かって、放射線照射部２４から乳房Ｎへ放射線が照射されて、ＣＣ撮影（頭尾方向の撮影）がなされる。
【００５２】
また、撮影台２２の装置前方側の面には、ＣＣ撮影時において、被験者Ｗの乳房Ｎよりも下方の胸部分を当接させる胸壁面２５が形成されている。胸壁面２５は平面状とされている。
【００５３】
また、ＭＬＯ撮影時では、図３に示すように、一般的に、ＣＣ撮影時に比べて撮影台２２を４５°以上９０°未満回転させた状態に保持部２８の姿勢が調整され、撮影台２２の装置前方側の側壁角部２２Ａに被験者Ｗの腋窩を当てるようにポジショニングされる。これにより、被験者Ｗの胴体の軸中心側から外側へ向かって、放射線照射部２４から乳房Ｎへ放射線が照射されて、ＭＬＯ撮影（内外斜位方向の撮影）がなされる。
【００５４】
放射線撮影装置１０では、図２に示すように、ステレオ撮影を行う場合、保持部２８に対して回動軸１６が空転して撮影台２２と圧迫板２６が動かず、支持部２９が回動することにより放射線照射部２４のみが円弧状に移動する。
【００５５】
このように、放射線照射部２４のみを回動させることにより、視差がある複数位置に放射線照射部２４を位置させることが可能となる。
【００５６】
これにより、視差のある複数位置で撮影された複数の画像の一方を右目で視認させ、他方を左目で視認させることで画像の立体視が可能となる。
【００５７】
図４には、本実施の形態に係る放射線画像撮影システム５の詳細な構成を示すブロック図が示されている。
【００５８】
放射線画像撮影システム５は、上述した放射線撮影装置１０と、撮影した放射線画像の再構成を行なう画像処理装置５０と、再構成した画像のステレオ表示を行なうステレオ表示装置８０と、を備えている。
【００５９】
放射線撮影装置１０は、放射線検出器４２と、曝射条件、姿勢情報などの各種の操作情報や各種の操作指示が入力される操作パネル４４と、装置全体の動作を制御する撮像装置制御部４６と、ＬＡＮ等のネットワーク５６に接続され、当該ネットワーク５６に接続された他の機器との間で各種情報を送受信する通信Ｉ／Ｆ部４８と、さらにを備えている。
【００６０】
撮像装置制御部４６は、ＣＰＵ、ＲＯＭ及びＲＡＭを含むメモリ、ＨＤＤやフラッシュメモリ等から成る不揮発性の記憶部を備えており、放射線照射部２４、放射線検出器４２、操作パネル４４、及び通信Ｉ／Ｆ部４８と接続されている。
【００６１】
操作パネル４４で指定される曝射条件には、管電圧、管電流、照射時間等の情報が含まれており、姿勢情報には、撮影姿勢がＣＣ撮影かＭＬＯ撮影かを表す情報が含まれている。なお、この曝射条件、姿勢情報などの各種の操作情報や各種の操作指示は、他の制御装置から得るようにしてもよい。
【００６２】
撮像装置制御部４６は、姿勢情報で指定された撮影姿勢がＣＣ撮影であれば、撮影面２０が上方を向いた状態に保持部２８の姿勢を調整すると共に放射線照射部２４が撮影面２０に対して上方に位置する状態に支持部２９の姿勢を調整し、姿勢情報で指定された撮影姿勢がＭＬＯ撮影であれば、撮影台２２を４５°以上９０°未満回転させた状態に保持部２８の姿勢を調整すると共に放射線照射部２４が撮影面２０に対して上方に位置する状態に支持部２９の姿勢を調整する。そして、撮像装置制御部４６は、支持部２９を回動させて放射線照射部２４を円弧状に移動させて曝射条件に基づいて放射線照射部２４に設けられた放射線源３０から撮影面２０に対して異なる角度で個別に放射線Ｘを照射させる。
【００６３】
放射線検出器４２は、画像情報を担持する放射線の照射を受けて画像情報を記録し、記録した画像情報を出力するものであり、例えば、放射線感応層を配置し、放射線をデジタルデータに変換して出力するＦＰＤ（Flat Panel Detector）として構成されている。放射線検出器４２は、放射線が照射されると、照射された放射線画像を示す画像情報を撮像装置制御部４６へ出力する。
【００６４】
撮像装置制御部４６は、通信Ｉ／Ｆ部４８を介して画像処理装置５０と通信が可能とされており、画像処理装置５０との間で各種情報の送受信を行なう。
【００６５】
一方、画像処理装置５０は、サーバ・コンピュータとして構成されており、操作メニューや各種情報等を表示するディスプレイ５２と、複数のキーを含んで構成され、各種情報や操作指示が入力される操作入力部５４と、を備えている。
【００６６】
また、画像処理装置５０は、装置全体の動作を司るＣＰＵ６０と、制御プログラムを含む各種プログラム等が予め記憶されたＲＯＭ６２と、各種データを一時的に記憶するＲＡＭ６４と、各種データを記憶して保持するＨＤＤ６６と、ディスプレイ５２への各種情報の表示を制御するディスプレイドライバ６８と、操作入力部５４に対する操作状態を検出する操作入力検出部７０と、ネットワーク５６を介して放射線撮影装置１０に接続され、放射線撮影装置１０との間で各種情報の送受信を行う通信Ｉ／Ｆ部７２と、ディスプレイケーブル５８を介してステレオ表示装置８０に対して画像信号を出力する画像信号出力部７４と、を備えている。
【００６７】
ＣＰＵ６０、ＲＯＭ６２、ＲＡＭ６４、ＨＤＤ６６、ディスプレイドライバ６８、操作入力検出部７０、通信Ｉ／Ｆ部７２、及び画像信号出力部７４は、システムバスＢＵＳを介して相互に接続されている。従って、ＣＰＵ６０は、ＲＯＭ６２、ＲＡＭ６４、ＨＤＤ６６へのアクセスを行うことができる。また、ＣＰＵ６０は、ディスプレイドライバ６８を介したディスプレイ５２への各種情報の表示の制御、通信Ｉ／Ｆ部７２を介した放射線撮影装置１０との各種情報の送受信の制御、及び画像信号出力部７４を介したステレオ表示装置８０に表示される画像の制御、を行うことができる。さらに、ＣＰＵ６０は、操作入力検出部７０を介して操作入力部５４に対するユーザの操作状態を把握することができる。
【００６８】
図５には、本実施の形態に係るステレオ表示装置８０の構成の一例が示されている。
【００６９】
同図に示すように、ステレオ表示装置８０は、２つの表示部８２が上下に並んで配置されており、上側に表示部８２が前方に傾斜して固定されている。２つの表示部８２は、表示光の偏光方向が直交しており、上側の表示部８２が右目用の画像を表示する表示部８２Ｒとされ、下側の表示部８２が左目用の画像を表示する表示部８２Ｌとされている。この表示部８２Ｌ、８２Ｒの間には、表示部８２Ｌからの表示光を透過し、表示部８２Ｒからの表示光を反射するビームスプリッターミラー８４が設けられている。ビームスプリッターミラー８４は、観察者が正面からステレオ表示装置８０を見た際に、表示部８２Ｌに表示される画像と表示部８２Ｒに表示される画像が重なるように角度が調整されて固定されている。
【００７０】
観察者は、図６に示すように、右のレンズと左のレンズで偏光方向を直交させた偏光メガネ８５をかけてステレオ表示装置８０を見ることにより、右目と左目で表示部８２Ｌに表示された画像と表示部８２Ｒに表示された画像を別々に見ることができる。
【００７１】
次に、本実施の形態に係る放射線画像撮影システム５の作用について説明する。
【００７２】
放射線画像のステレオ撮影を行なう場合、放射線撮影装置１０は、操作パネル４４に対して曝射条件や姿勢情報が入力される。
【００７３】
放射線撮影装置１０は、姿勢情報で指定された撮影姿勢がＣＣ撮影の場合、図２に示すように、撮影面２０が上方を向いた状態に保持部２８の姿勢を調整すると共に放射線照射部２４が撮影面２０に対して上方に位置する状態に支持部２９の姿勢を調整し、姿勢情報で指定された撮影姿勢がＭＬＯ撮影の場合、図３に示すように、撮影台２２を４５°以上９０°未満回転させた状態に保持部２８の姿勢を調整すると共に放射線照射部２４が撮影面２０に対して上方に位置する状態に支持部２９の姿勢を調整する。
【００７４】
被験者Ｗは、放射線撮影装置１０の撮影面２０に乳房Ｎを当接させる。放射線撮影装置１０は、この状態で操作パネル４４に対して圧迫開始の操作指示が行なわれると、押圧板２６が撮影面２０に向けて移動する。押圧板２６が乳房Ｎに当接して更に押圧し、押圧板２６の押圧力が設定押圧力に到達すると、撮像装置制御部４６の制御により押圧板２６の移動が停止する。
【００７５】
本実施形態に係る放射線撮影装置１０は、この状態で操作パネル４４に対して曝射開始の操作指示が行なわれると、図２及び図３に示すように、支持部２９のみを回動させて放射線照射部２４を円弧状に移動させて、図７に示すように、撮影面２０に対して所定のなす角θ（例えば、１０°）で放射線照射部２４の放射線源３０から放射線を個別に照射する。このなす角θは、固定値としてもよく、また、例えば、撮影対象部位や観察する病変部、撮影対象部位の厚さなど応じて変更するようにしてもよい。放射線照射部２４から個別に照射された放射線は、それぞれ乳房Ｎを透過した後に放射線検出器４２に到達する。
【００７６】
放射線検出器４２は、放射線が照射されると、照射された放射線画像を示す画像情報をそれぞれ撮像装置制御部４６へ出力する。
【００７７】
撮像装置制御部４６は、撮影された２つの放射線画像を示す画像情報や放射線画像を撮影する際の曝射条件を関連付けて通信により画像処理装置５０へ送信する。
【００７８】
画像処理装置５０は、画像情報や曝射条件を通信Ｉ／Ｆ部７２で受信することにより、撮影された２つの放射線画像を示す画像情報をそれぞれ取得する。画像処理装置５０は、受信した各画像情報に対してシェーディング補正などの各種の画像補正処理を行ない、補正後の２つの放射線画像を曝射条件等と関連付けて１回の撮影で得られた撮影情報としてＨＤＤ６６に記憶する。
【００７９】
その後、画像処理装置５０は、ＨＤＤ６６に１回の撮影情報として記憶した２つの放射線画像に基づき、３次元情報を生成する３次元画像生成処理を行なう。
【００８０】
図８には本実施の形態に係るＣＰＵ６０により実行される３次元画像生成処理プログラムの処理の流れを示すフローチャートが示されている。なお、当該プログラムはＲＯＭ６２の所定の領域に予め記憶されている。
【００８１】
同図のステップ１００では、１回の撮影情報として記憶した２つの放射線画像の各々から病変部として微小石灰化クラスタを特定しており、本実施の形態では、ＣＡＤ（computer aided detection）によって画像内の石灰化領域を特定している。
【００８２】
ここで、一般的な乳房の放射線画像において、石灰化領域は、背景よりも輝度が高く（濃度が低く）、小さく鋭いパルス状の陰影を呈する。
【００８３】
そこで、本実施の形態に係るＣＡＤでは、放射線画像について微分処理を施すことにより、微分値及び輝度が高い領域を石灰化領域として検出する。なお、石灰化領域をさらに高い精度で検出する場合には、例えば、モーフォロジー演算を応用したモーフォロジー処理を行なってもよい。
【００８４】
図９には、２つの放射線画像９０Ｌ、９０Ｒの石灰化領域を特定した結果の一例が模式的に示されている。同図の乳房Ｎ内の「●」「▲」「■」は、それぞれ石灰化部分９２Ａ〜９２Ｃを表わしており、放射線画像９０Ｌ、９０Ｒ内の「●」「▲」「■」は、それぞれ乳房Ｎ内の石灰化部分９２Ａ〜９２Ｃに対応して記録された石灰化領域９４ａ１〜９４ｃ１、９４ａ２〜９４ｃ２を表わしている。なお、以下、乳房Ｎ内の石灰化部分９２Ａ〜９２Ｃを区別せずに述べる場合は単に石灰化部分９２と称し、放射線画像９０Ｌ、９０Ｒ内の石灰化領域９４ａ１〜９４ｃ１、９４ａ２〜９４ｃ２を区別せずに述べる場合は単に石灰化領域９４と称する。
【００８５】
次のステップ１０２では、放射線画像９０Ｒの石灰化領域９４ａ１〜９４ｃ１と放射線画像９０Ｌの石灰化領域９４ａ２〜９４ｃ２の対応関係を求める。
【００８６】
ここで、図９に示すように、放射線画像９０Ｌ、９０Ｒに記録される石灰化領域９４は、乳房Ｎ内の石灰化部分９２の３次元的な位置に応じて、位置が異なる。一方、マンモグラフィでは、乳房Ｎが押圧板２６によって押圧されて乳房Ｎの厚さＤが定まるため、乳房Ｎ内の同一の石灰化部分９２に対応して放射線画像９０Ｌ、９０Ｒに石灰化領域９４が記録される範囲が定っている。従って、例えば、放射線画像９０Ｌ、９０Ｒのうち一方の放射線画像の石灰化領域９４が存在する位置を基準位置として、他方の放射線画像の当該基準位置から厚さＤに応じて定めた範囲内をマッチングによって検索することにより、同一の石灰化部分９２に対応して放射線画像９０Ｌ、９０Ｒに記録された石灰化領域９４を求めることができる。これにより、図９では、石灰化領域９４ａ１と９４ａ２が対応し、石灰化領域９４ｂ１と９４ｂ２が対応し、石灰化領域９４ｃ１と９４ｃ２が対応していることが求められる。
【００８７】
なお、対応関係を精度良く求めるには、例えば、一方の放射線画像の石灰化領域を他方の放射線画像内で検索すると共に、他方の放射線画像の石灰化領域を一方の放射線画像内で検索して、両方で対応する石灰化領域を見つけるようにしてもよい。また、周辺の石灰化領域の位置関係を加味して対応する石灰化領域を見つけるようにしてもよい。
【００８８】
次のステップ１０４では、放射線画像９０Ｌ、９０Ｒの対応する石灰化領域９４毎に、放射線画像９０Ｌ、９０Ｒ内での対応する石灰化領域９４の位置関係及び放射線画像９０Ｌ、９０Ｒをそれぞれ撮影した際の放射線源３０の位置関係に基づいて乳房Ｎ内の石灰化部分９２の３次元空間での位置を示す３次元情報を生成する。図９には、放射線画像９０Ｌ、９０Ｒをそれぞれ撮影した際の放射線源３０の位置が放射線源３０Ｌ、３０Ｒとして示されている。
【００８９】
本実施の形態では、放射線画像９０Ｌ、９０Ｒの対応する石灰化領域９４毎に、放射線源３０Ｌと放射線画像９０Ｌの石灰化領域９４を結ぶ直線９６Ｌ及び放射線源３０Ｒと放射線画像９０Ｒの石灰化領域９４を結ぶ直線９６Ｒを求め、直線９６Ｌと直線９６Ｒの交差する位置を特定し、特定した位置を石灰化部分９２の３次元空間での位置として３次元情報を生成する。
【００９０】
次のステップ１０６では、生成した３次元情報をＨＤＤ６６に記憶させて処理終了となる。
【００９１】
これにより、ＨＤＤ６６には、３次元情報が記憶される。
【００９２】
画像処理装置５０は、ＨＤＤ６６に記憶された３次元情報に基づいて３次元空間内で石灰化部分９２を示したステレオ画像をステレオ表示装置８０に表示させることが可能とされている。画像処理装置５０は、操作入力部５４に対してステレオ画像表示開始の所定の操作指示が行なわれると、ステレオ視可能な右目用の画像と左目用の画像を作成するステレオ画像作成処理を行ない、ステレオ表示装置８０にステレオ画像を表示させる。このステレオ画像を表示させる際、画像処理装置５０は、操作入力部５４に対して３次元空間内で石灰化部分９２を観察する観察方向の指定及び画像の拡大させる拡大率の指定を受け付ける。
【００９３】
図１０には本実施の形態に係るＣＰＵ６０により実行されるステレオ画像作成処理プログラムの処理の流れを示すフローチャートが示されている。なお、当該プログラムはＲＯＭ６２の所定の領域に予め記憶されている。
【００９４】
同図のステップ１５０では、右目用の画像と左目用の画像を作成する際に視差角φを決定する。
【００９５】
本実施の形態に係る画像処理装置５０は、ステレオ画像を拡大して表示することが可能とされているが、ステレオ画像を拡大して表示した場合、奥行きが強調されてしまい、観察者がステレオ視できない場合がある。
【００９６】
例えば、図１１に示すように、右目と左目の距離ＬＥを８ｃｍとし、等倍での観察距離ＬＴを３０ｃｍとした場合、等倍での視差角は８°であるが、観察距離ＬＴを１／２とした２倍での視差角は１５°となり、観察者がステレオ視できない。
【００９７】
そこで、本実施の形態では、拡大率が大きいほど実際よりも視差角φを小さくして実空間に近い奥行きで表示する。これにより、例えば、ステレオ画像を手術を想定したシミュレーションで用いる場合には、実空間に近い奥行きでシミュレーションを行なうことができる。
【００９８】
本実施の形態では、指定された等倍（拡大率が１倍）の場合、視差角φが８°として指定された拡大率から視差角を算出するが算出した視差角が一定値（例えば、１０°）以上の場合、算出した視差角よりも視差角を小さくして右目用の投影画像と左目用の投影画像を作成する。例えば、指定された２倍の場合、実際よりも視差角φを小さくして視差角φが１０°となるように視差角φを決定する。
【００９９】
ステップ１５２では、ＨＤＤ６６に記憶された３次元情報に基づいて右目用の画像と左目用の画像を作成する。
【０１００】
図１２には、右目用の画像と左目用の画像を作成する流れが模式的に示されている。なお、図１２は、２つの観察方向からそれぞれ右目用の画像と左目用の画像を作成した場合を示している。
【０１０１】
同図に示すように、３次元情報には、石灰化部分９２（９２Ａ、９２Ｂ、９２Ｃ）の３次元的な位置が記憶されている。
【０１０２】
本実施の形態では、観察方向に対して垂直に仮想的な撮影面２１があるものとし、撮影面２１に対して視差角φの２つの視点３１Ｌ、３１Ｒから各石灰化部分９２を撮影面２１に投影した、右目用の画像と左目用の画像を作成する。
【０１０３】
画像の拡大は、仮想的な撮影面２１を視点３１Ｌ、３１Ｒから遠ざけたり、あるいは、３次元情報により示される石灰化部分９２を含んだ３次元領域全体を視点３１Ｌ、３１Ｒに近づけることにより行なうことができる。本実施の形態では、画像を拡大は、等倍での観察距離をＬＴとした場合、観察距離をＬＴ÷拡大率することにより行なう。
【０１０４】
次のステップ１５４では、作成した右目用の画像を表示部８２Ｒに表示させると共に、作成した左目用の画像を表示部８２Ｌに表示させる。
【０１０５】
これにより、医師などの観察者は、放射線画像の読影や診断等を行うことが可能となる。観察者は、偏光メガネ８５をかけてステレオ表示装置８０を見ることにより、石灰化部分９２の分布を立体的に見ることができる。
【０１０６】
次のステップ１５６では、操作入力部５４に対して、観察方向又は拡大率を変更する指示がされたか否かを判定し、肯定判定となった場合はステップ１５０へ移行し、否定判定となった場合はステップ１５８へ移行する。
【０１０７】
これにより、観察者が観察方向又は拡大率が変更された場合は、ステレオ表示装置８０に変更された観察方向、拡大率でのステレオ画像が表示される。
【０１０８】
ステップ１５８では、操作入力部５４に対して、ステレオ画像表示終了の操作指示が行なわれたか否かを判定し、肯定判定となった場合は処理終了となり、否定判定となった場合はステップ１５６へ移行する。
【０１０９】
以上のように、本実施の形態によれば、２つの放射線画像９０Ｌ、９０Ｒの各々から石灰化領域９４を特定し、特定された石灰化領域９４の対応関係を求め、対応する石灰化領域９４の放射線画像９０Ｌ、９０Ｒ内での位置関係及び放射線画像９０Ｌ、９０Ｒの撮影の際の放射線源３０Ｌ、３０Ｒの位置関係に基づいて石灰化領域９４の３次元空間での位置を示す３次元情報を生成するので、少ない被曝量で石灰化領域９４に関する３次元情報を適切に生成することができる。
【０１１０】
また、本実施の形態によれば、３次元情報に基づいて操作入力部５４で受付けた観察方向から石灰化領域９４を観察する場合の所定の視差角の右目用の画像と左目用の画像を作成し、作成された右目用の画像と左目用の画像をステレオ表示装置８０にそれぞれ表示するように制御するので、石灰化領域９４を様々な方向から立体視で観察することができる。
【０１１１】
なお、放射線画像内の石灰化領域は、小さいため、石灰化領域の所定位置（例えば、重心や中心）の点として石灰化領域の特定を行なうようにしてもよい。
【０１１２】
この場合、２つの放射線画像の石灰化領域を含む所定領域の部分画像に対してモーフィングや変形、回転、補間等の各種の画像処理を行なって当該部分画像を観察方向から観察した右目用の部分画像と左目用の部分画像をさらに作成し、右目用の画像と左目用の画像の石灰化領域の位置に作成された右目用の部分画像と左目用の部分画像をそれぞれ表示するようにしてもよい。
【０１１３】
また、操作入力部５４で受付けた観察方向又は所定方向（例えば、撮影方向）から所定角度ずつ角度を変えて石灰化領域を観察する場合の所定の視差角の右目用の画像と左目用の画像をそれぞれ作成し、所定角度ずつ角度を変えて作成された右目用の画像と左目用の画像をステレオ表示装置８０にそれぞれ連続的に表示するようにしてもよい。このように、角度を変えた画像を連続的に表示することにより、観察者が石灰化領域の分布が把握しやすくなる。
【０１１４】
なお、上記実施の形態では、マンモグラフィにより撮影された放射線画像に適用した場合について説明したが、本発明はこれに限定されるものではなく、他の放射線画像撮影装置に適用してもよい。
【０１１５】
また、上記実施の形態では、異なる位置から放射線を個別に照射して２枚の放射線画像を撮影し、撮影された２枚の放射線画像に基づいて３次元情報を生成する場合について説明したが、本発明はこれに限定されるものではなく、３枚以上の放射線画像を撮影し、撮影された３枚以上放射線画像に基づいて３次元情報を生成してもよい。
【０１１６】
また、上記実施の形態では、病変部として石灰化領域を特定して表示する場合について説明したが、本発明はこれに限定されるものではなく、例えば、腫瘤やその他の病変を特定して表示するものとしてもよい。
【０１１７】
また、上記実施の形態では、２つの表示部８２が上下に並んで配置されたステレオ表示装置８０を用いた場合について説明したが、本発明はこれに限定されるものではなく、例えば、奇数ラインと偶数ラインで表示光の偏光方向が直交した１つの表示部の奇数ラインと偶数ラインに右目用の画像と左目用の画像を別々に表示するようにしてもよい。また、右目用の画像と左目用の画像で表示する色を変え、右のレンズと左のレンズで別々の色を透過するメガネを用いて立体視するようにしてもよい。
【０１１８】
また、上記実施の形態では、放射線検出器４２によって放射線画像を示すデジタルの画像情報を直接得る場合について説明したが、本発明はこれに限定されるものではなく、例えば、イメージングプレートやＸ線フィルム等を内蔵したカセットなどに放射線を照射し、カセットに内蔵されたイメージングプレートやＸ線フィルムを読み取ることにより、デジタルの画像情報を得るようにしてもよい。
【０１１９】
さらに、上記実施の形態では、画像処理装置５０において２つの放射線画像から３次元情報を生成し、当該３次元情報に基づいて右目用の画像と左目用の画像を作成する場合について説明したが、本発明はこれに限定されるものではなく、例えば、放射線撮影装置１０の撮像装置制御部４６や他の画像処理装置において２つの放射線画像から３次元情報を生成する処理を行なわせ、画像処理装置５０が生成された３次元情報を受信してＨＤＤ６６に記憶するものとしてもよい。また、ＨＤＤ等の記憶手段を備えた記憶装置に３次元情報を記憶させ、画像処理装置５０が当該記憶装置の記憶手段に記憶された３次元情報にアクセスし、当該３次元情報に基づいて右目用の画像と左目用の画像を作成するようにしてもよい。
【０１２０】
その他、上記実施の形態で説明した放射線画像撮影システム５、放射線撮影装置１０、画像処理装置５０、及びステレオ表示装置８０の構成（図１〜５参照。）は一例であり、本発明の主旨を逸脱しない範囲内において状況に応じて変更可能であることは言うまでもない。
【０１２１】
また、上記実施の実施の形態で説明した３次元画像生成処理プログラム及びステレオ画像作成処理プログラムの処理の流れ（図８、図１０参照。）も一例であり、本発明の主旨を逸脱しない範囲内において状況に応じて変更可能であることは言うまでもない。
【符号の説明】
【０１２２】
５  放射線画像撮影システム
１０  撮像装置
２４  放射線照射部
３０、３０Ｌ、３０Ｒ  放射線源
３１Ｌ、３１Ｒ  視点
４２  放射線検出器
５０  画像処理装置
５４  操作入力部（受付手段）
６０  ＣＰＵ（特定手段、生成手段、作成手段、制御手段）
６６  ＨＤＤ（記憶手段）
７２  通信Ｉ／Ｆ部（取得手段）
８０  ステレオ表示装置（画像表示手段）
８２、８２Ｌ、８２Ｒ  表示部
９０Ｌ、９０Ｒ  放射線画像
９２  石灰化部分
９４  石灰化領域
Ｎ    乳房（撮影対象部位）
Ｗ    被験者
【図１】
2010187916.tif 000003
【図２】
2010187916.tif 000004
【図３】
2010187916.tif 000005
【図４】
2010187916.tif 000006
【図６】
2010187916.tif 000007
【図７】
2010187916.tif 000008
【図８】
2010187916.tif 000009
【図９】
2010187916.tif 000010
【図１０】
2010187916.tif 000011
【図１２】
2010187916.tif 000012
【図５】
2010187916.tif 000013
【図１１】
2010187916.tif 000014